(57)【特許請求の範囲】
【請求項１】
粉粒物が収容された容器本体の略４角形の上面開口部を開閉する蓋部材の裏面に、粉粒物を取り出すための柄部と掬い部とからなるスプーンを着脱可能に取り付けたスプーン付き容器であって、
前記スプーンは、閉蓋状態で前記掬い部の開口側を前記容器本体の底部に向け、前記柄部の前記掬い部とは反対側の端部を前記蓋部材の角部近傍部分に取着して、前記柄部を前記蓋部材の裏面に対して傾斜させた状態で略４角形の前記蓋部材の対角線方向に取り付けられており、
前記柄部は、全体に亘って略同じ厚さの板状部分として成形されており、
前記スプーンは、前記掬い部の底部外側面を前記蓋部材の裏面に押し付けるように付勢された状態で取り付けられており、
前記蓋部材の角部近傍には、前記蓋部材の裏面から垂直に突出する係合ピンが設けられると共に、前記柄部の前記掬い部とは反対側の端部には係合孔が貫通形成されており、前記係合ピンを前記係合孔に貫通させて係合することにより、前記蓋部材の裏面に対して傾斜させた前記柄部をしならせた状態として、前記掬い部の底部外側面を前記蓋部材の裏面に押し付ける付勢力を生じさせているスプーン付き容器。
【請求項２】
前記係合ピンは、円形断面の円柱ロッド形状の突起であり、前記係合孔は、前記係合ピンの外径と略同様の内径を有する円形孔である請求項１記載のスプーン付き容器。
【請求項３】
前記スプーンは、前記容器本体の底部内面の対角線の長さより長く形成されてなる請求項１又２に記載のスプーン付き容器。
【請求項４】
前記柄部は、帯板を波状に繰り返し湾曲させた形状を備えている請求項１〜３のいずれか１項に記載のスプーン付き容器。
【請求項５】
前記容器本体の上端周縁部分の内側にフランジ段差部を設け、両側のフランジ段差部の内側縁部の長辺方向の間隔は、前記容器本体の底部の略矩形形状の内寸における長辺部の長さよりも大きくなっており、且つ前記スプーンの全体の長さと略同じか又は小さくなっている請求項１〜４のいずれか１項に記載のスプーン付き容器。
【発明の詳細な説明】
【技術分野】
【０００１】
本発明は、スプーン付き容器に関し、特に粉粒物が収容された容器本体の略４角形の上面開口部を開閉する蓋部材の裏面に、粉粒物を取り出すための柄部と掬い部とからなるスプーンを着脱可能に取り付けたスプーン付き容器に関する。
【背景技術】
【０００２】
粉状或いは粒状の洗浄剤や、砂糖、塩、小麦粉等の調味料などの粉粒物を箱状の容器本体に収容すると共に、これらの粉粒物を取り出すスプーンを備えるスプーン付き容器は周知である。スプーン付き容器では、使用時に容器を開封した後、内部からスプーンを取り出し、このスプーンを用いて粉粒物を掬い取って適宜計量しながら、所望量の粉粒物を使用する。ここで、スプーンを粉粒物と共に容器本体に収容すると、スプーンが粉粒物の中に埋没してしまい、場所がわからなくて取り出し難くなったり、取り出す際に手が汚れたり、粉粒物が食品の場合には手が触れて不衛生になったりする。
【０００３】
このため、容器本体の上面開口部を開閉可能に覆う蓋体と、容器本体に収容された粉粒物との間に残置される空間部分に、スプーンを安定した状態で保持して、使用開始前のみならず使用開始後においても、スプーンを粉粒物の中に埋没させることなく粉粒物と共に容器本体の内部に収容しておくようにした容器も開発されている（例えば、特許文献１参照）。
【特許文献１】特開２０００−３４４２４３号公報
【発明の開示】
【発明が解決しようとする課題】
【０００４】
しかしながら、特許文献１の容器では、粉粒物の上方の空間部分にスプーンを略水平に保持するために、スプーンとは別部品のすり切り部材を容器本体に取り付けて支持させるものであることから、部品点数が多くなる。また、粉粒物の使用前の流通過程等においては、容器は逆さまにされたり、震動を受けたリ、急角度に傾けた状態で取り扱われたりすることがある。このため、容器を元の正立状態に戻した際に、空間部分に保持したスプーンやすり切り部の上に粉粒物が堆積しやすくなって、粉粒物の使用時に容器を開蓋した際に手が汚れたり不衛生になる。
【０００５】
本発明は、部品点数を増やすことなく、蓋部材やスプーンに簡易な改良を加えるだけで、粉粒物の中に埋没させることなく、スプーンを蓋部材の裏面に安定した状態で着脱可能に保持することができると共に、粉粒物を保持されたスプーンの上に堆積させ難くすることのできるスプーン付き容器を提供することを目的とする。
【課題を解決するための手段】
【０００６】
本発明は、粉粒物が収容された容器本体の略４角形の上面開口部を開閉する蓋部材の裏面に、粉粒物を取り出すための柄部と掬い部とからなるスプーンを着脱可能に取り付けたスプーン付き容器であって、前記スプーンは、閉蓋状態で前記掬い部の開口側を前記容器本体の底部に向け、前記柄部の前記掬い部とは反対側の端部を前記蓋部材の角部近傍部分に取着して、前記柄部を前記蓋部材の裏面に対して傾斜させた状態で略４角形の前記蓋部材の対角線方向に取り付けられているスプーン付き容器を提供することにより、上記目的を達成したものである。
【発明の効果】
【０００７】
本発明のスプーン付き容器によれば、部品点数を増やすことなく、蓋部材やスプーンに簡易な改良を加えるだけで、粉粒物の中に埋没させることなく、スプーンを蓋部材の裏面に安定した状態で着脱可能に保持することができると共に、粉粒物を保持されたスプーンの上に堆積させ難くすることができる。
【発明を実施するための最良の形態】
【０００８】
図１（ａ），（ｂ）に示す本発明の好ましい一実施形態に係るスプーン付き容器１０は、粉状又は粒状の粉粒物１１として、例えば食器洗い用の洗浄剤を収容する合成樹脂製の容器であり、上面の全体が上面開口部１２として開口する略六面体形状の箱体である容器本体１３と、容器本体１３にヒンジ結合部１４を介して回動可能にヒンジ連結されることにより、容器本体１３の上面開口部１２を開閉する蓋部材１５とからなり、蓋部材１５の裏面には、容器本体１２に収容された粉状物１１を掬い取るためのスプーン１６が着脱可能に取り付けられている。
【０００９】
すなわち、本実施形態のスプーン付き容器１０は、粉粒物１１が収容された容器本体１３の略４角形の上面開口部１２を開閉する蓋部材１５の裏面に、粉粒物１１を取り出すための柄部１７と掬い部１８とからなるスプーン１６を着脱可能に取り付けた、好ましくは底の深い箱容器であって、スプーン１６は、略４角形の上面開口部１２の短辺部の長さＬ2よりも長く形成されていると共に、好ましくは容器本体１３の略矩形形状の底部１３ａの対角線より長く形成されており、蓋部材１５の閉蓋状態で掬い部１８の開口側を容器本体１３の底部１３ａに向け、柄部１７の掬い部１８とは反対側の端部１７ａを蓋部材１５の角部近傍部分１５ａに取着して、柄部１７を蓋部材１５の裏面に対して傾斜させた状態で略４角形の蓋部材１５の対角線方向に取り付けられている。
【００１０】
また、本実施形態では、スプーン１６は、掬い部１８の底部外側面１８ａ（図２（ａ），（ｂ）参照）を蓋部材１５の裏面に押し付けるように付勢された状態で取り付けられている。そして、例えば蓋部材１５の角部近傍部分１５ａには、蓋部材１５の裏面から垂直に突出する係合ピン１９を設けると共に、柄部１７の掬い部１８とは反対側の端部１７ａには係合孔２０が貫通形成されており、係合孔２０に係合ピン１９を貫通させつつ嵌め込んで係合することにより、蓋部材１５の裏面に対して傾斜した状態の柄部１７をしならせて、掬い部１８の底部外側面１８ａを蓋部材１５の裏面に押し付ける付勢力を生じさせるようになっている。
【００１１】
容器本体１３は、例えば合成樹脂による射出成形品であって、略矩形形状の底部１３ａから、上面開口部１２に向けて断面の面積を徐々に拡大させた、上広がりの箱容器である。容器本体１３の四方の側面部１３ｂは、外側に凸となって周方向に滑らかに湾曲する形状を備えており、また隣接する側面部１３ｂは、湾曲する角部を介して滑らかに接続している。さらに、容器本体１３の側面部１３ｂの上端部分には、側面部１３ｂの周方向に環状に連続して、当接段差リブ２１が外側に突出して設けられている。この当接段差リブ２１には、上面開口部１２の閉塞時に蓋部材１５の周壁部１５ｂの下端部分が当接密着して、容器本体１３を封止する。
【００１２】
本実施形態では、容器本体１３は、底部１３ａの略矩形形状の内寸における長辺部の長さＴ1と短辺部の長さＴ2の比Ｔ1／Ｔ2を、１．０〜１．５とすることが好ましく、上面開口部１２の略矩形形状の内寸における長辺部の長さＬ1とＴ1の比Ｌ1／Ｔ1を１．０〜１．３、短辺部の長さＬ2とＴ2の比Ｌ2／Ｔ2を１．０〜１．３とすることが好ましい。また、例えば底部１３ａから上面開口部１２までの高さＨとＬ1の比Ｈ／Ｌ1が０．５〜１．０となっており、底の深い箱容器を形成している。また、本実施形態では、容器本体１３を手で把持する観点から、底部１３ａの略矩形形状の内寸は、長辺部の長さＴ1が９０〜１２０ｍｍ、短辺部の長さＴ2が７０〜１００ｍｍとなっており、上面開口部１２の略矩形形状の内寸は、長辺部の長さＬ1が１００〜１４０ｍｍ、短辺部の長さＬ2が８０〜１２０ｍｍとなっている。また、例えば底部１３ａから上面開口部１２までの高さＨが９０〜１４０ｍｍとなっている。
【００１３】
蓋部材１５は、容器本体１３と同様に例えば合成樹脂による射出成形品であって、上面開口部１２を覆う大きさの略矩形の平面形状を備えている。蓋部材１５の周縁部には、図３にも示すように、高さの低い周壁部１５ｂが容器本体１３側に立設して設けられている。周壁部１５ｂの内側に、容器本体１３の側面部１３ｂの当接段差リブ２１よりも上方の帯状突出部分１３ｃを嵌め込むようにしながら、周壁部１５ｂの下端部分を当接段差リブ２１に当接密着させて、容器本体１３の上面開口部１２を蓋部材１５によって閉塞する。
【００１４】
また、蓋部材１５は、略矩形形状の一方の長辺部において周壁部１５ｂを介してヒンジ結合部１４により容器本体１３の当接段差リブ２１に回動可能にヒンジ連結しており、ヒンジ結合部１４を中心に回動して、上面開口部１２を開閉する。ヒンジ連結された長辺部とは反対側の長辺部の中央部分には、周壁部１５ｂに係止凹嵌部２２が設けられている。この係止凹嵌部２２を、当接段差リブ２１よりも上方の帯状突出部分１３ｃにおいて容器本体１３の長辺部の中央部分に設けられた係止リブ２３に着脱可能に係止することにより、蓋部材１５による上面開口部１２の閉塞状態を保持する。
【００１５】
さらに、蓋部材１５の裏面の角部近傍部分１５ａには、係合ピン１９が、当該裏面から垂直又は略垂直に突出して設けられている。また、係合ピン１９が配置された角部近傍部分１５ａとは対角に位置する角部近傍部分１５ｃには、一対の位置決めリブ２４を突出して配置することが好ましい。係合ピン１９は、スプーン１６の柄部１７に開口形成された係合孔２０と略合致する円形断面の円柱ロッド形状の突起であって、スプーン１６の係合孔２０を貫通するのに十分な長さを備えている。位置決めリブ２４は、矩形平板形状の突片であって、スプーン１６の掬い部１８の幅と略合致する間隔を置いて、蓋部材１５の対角線方向に沿って平行に設けられる。
【００１６】
スプーン１６は、容器本体１３と同様に例えば合成樹脂による射出成形品であって、図２（ａ），（ｂ）に示すように、略半長円の開口断面形状を備える掬い部１８と、掬い部１８の円弧形状側に連接すると共に、掬い部１８のすり切り面に沿って延設する平面帯板形状の柄部１７とからなる。スプーン１６の全体の長さＳ1は、容器本体１３の略４角形の上面開口部１２の短辺部の長さＬ2よりも長く、且つ蓋部材１５の裏面の対角線方向に納まる長さとして、例えば９０〜１４０ｍｍとなっており、容器本体１３の略矩形形状の底部１３ａ内面の対角線の長さより長く形成することが好ましい。また、スプーン１６は、蓋部材１６の裏面の対角線方向に取着された際に、掬い部１８と反対側の柄部１７の端部と、掬い部１８における柄部１７と反対側の角部とが、蓋部材１６の裏面に容器本体１３の開口縁部があたる領域より1．０ｍｍ〜４．０ｍｍの範囲にあるように、スプーン１６の全体の長さＳ１を長くすることが好ましい。スプーン１６の全体の長さＳ１は、容器本体１３の底部１３ａから上面開口部１２までの高さＨ以上とすることが好ましい。
【００１７】
掬い部１８は、上述のように、略半長円の開口断面形状を備え、底部に向けてその断面形状を徐々に小さくしたお椀形状に形成されると共に、底部外側面１８ａの角部分に丸みを持たせた形状を備えている。また掬い部１８は、その高さ（深さ）ｈが例えば１５〜２５ｍｍとなっている。これによって、掬い部１８が、その開口側を蓋部材１５の裏面とは反対側（蓋部材１５の閉蓋状態で容器本体１３の底部１３ａ側）に向けた状態で、柄部１７の端部１７ａを蓋部材１５の角部近傍部分１５ａに取着され（係合し）、掬い部１８の底部外側面１８ａを蓋部材１５の裏面に当接させた際に、柄部１７は、蓋部材１５の裏面との間に間隔を保持しつつ、当該裏面に対して傾斜した状態となる。さらに、掬い部１８には、その内側面に２本の計量目盛２５が施されており、掬い部１８のすり切り面を含めて、３段階の量の粉粒物１１をスムーズに計量できる計量スプーンとしての機能をスプーン１６に付与している。
【００１８】
柄部１７は、上述のように、掬い部１８の円弧形状側に一体として連接すると共に、掬い部１８のすり切り面に沿って延設する帯板形状部分であって、例えば６０〜１１０ｍｍ程度の相当の長さＳ2を有しており、スプーン１６の全体の長さＳ１との関係では、例えばＳ１の２／３〜７／８の長さＳ２を有している。柄部１７は、背面側に樹脂抜きのための凹部を設けることなく、全体に亘って略同じ厚さの板状部分として成形されている。また柄部１７は、帯板をこれの長手方向に波状に繰り返し湾曲させた形状を備えている。
【００１９】
柄部１７が相当の長さＳ2を有していることにより、容器本体１３が底の深い箱容器であって、粉粒物１１が残り少なくなって底部分にのみ収容されている場合でも（図３参照）、掬い部１８を容器本体１３の底部分まで届かせて、残った粉粒物１１を容易に掬い取ることが可能になる。柄部１７を、背面側に樹脂抜きのための凹部を設けることなく略同じ厚さの板状部分として形成することにより、スプーン１６を装着して蓋部材１５を閉じた状態の容器１０を逆さまにした後に元の正立状態に戻した場合でも、蓋部材１５の裏面との間に間隔が保持された柄部１７の背面側に、粉粒物１１を堆積させ難くすることが可能になる。また柄部１７を長手方向にしなりやすくすることも可能になる。柄部１７を波状に繰り返し湾曲する形状とすることにより、当該柄部１７を介してスプーン１６を把持しやすくなる。
【００２０】
柄部１７の掬い部１８とは反対側の端部１７ａには、係合孔２０が貫通形成されている。係合孔２０は、蓋部材１５の裏面に設けられた係合ピン１９を嵌め込むようにして貫通挿入できるように、係合ピン１９の外径と略同様の内径を有する円形孔である。また係合孔２０は、掬い部１８のすり切り面に対して垂直又は略垂直な方向に穿孔形成されている。これによって、図１（ａ），（ｂ）に示すように、掬い部１８を一対の位置決めリブ２４（図３参照）の間に位置決めしつつ、開口側を容器本体１３の底部１３ａ側に向けた状態で掬い部１８の底部外側面１８ａ（図２参照）を蓋部材１５の裏面に当接させた際に、柄部１７が蓋部材１５の裏面に対して傾斜した状態にすることにより、係合孔２０の軸心は係合ピン１９の軸心に対して斜めに傾いた状態となる。係合孔２０の軸心が斜めに傾いた状態から、柄部１７をしならせながら係合孔２０の軸心を係合ピン１９の軸心に沿わせるようにして、係合孔２０に係合ピン１９を挿入すれば、柄部１７がしなった状態から元に戻ろうとする弾性付勢力によって、係合孔２０と係合ピン１９との接触部分に摩擦力が生じてこれらの係合状態が保持されると共に、このような柄部１７の弾性付勢力によって、掬い部１８の底部外側面１８ａは蓋部材１５の裏面に押し付けられることになるので、スプーン１６は、蓋部材１５の裏面に安定した状態で着脱可能に装着されることになる。
【００２１】
そして、上述の構成を備える本実施形態のスプーン付き容器１０によれば、部品点数を増やすことなく、蓋部材１５やスプーン１６に簡易な改良を加えるだけで、粉粒物１１の中に埋没させることなく、スプーン１６を蓋部材１５の裏面に安定した状態で着脱可能に保持することができると共に、粉粒物１１を保持されたスプーン１６の上に堆積させ難くすることが可能になる。
【００２２】
すなわち、本実施形態によれば、スプーン１６は、略４角形の上面開口部１２の短辺部の長さＬ2よりも長く形成されており、掬い部１８の開口側を容器本体１３の底部１３ａに向け、柄部１７の掬い部１８とは反対側の端部１７ａを蓋部材１５の角部近傍部分１５ａに係合して、蓋部材１５の裏面に取り付けられている。またスプーン１６は、柄部１７を蓋部材１５の裏面に対して斜めに延設させ、好ましくは掬い部１８の底部外側面１８ａを蓋部材１５の裏面に押し付けるように付勢した状態で、略４角形の蓋部材１５の対角線方向に取り付けられている。これらによって、スプーン１６とは別部品であるすり切り部材等を容器本体１３に取り付けることなく、蓋部材１５やスプーン１６に例えば係合ピン１９や係合孔２０と設けるといった簡易な改良を加えるだけで、粉粒物１１の中に埋没させることなく、スプーン１６を蓋部材１５の裏面に安定した状態で着脱可能に保持することが可能になる。さらに、柄部１７が蓋部材１５の裏面との間に間隔を置いて蓋部材１５の裏面に対して傾斜した状態で取り付けられるので、柄部１７を把持してスプーン１６を取り外しやすくなる。
【００２３】
また、本実施形態によれば、スプーン１６は開口側を閉蓋状態で容器本体１３の底部１３ａに向けて取り付けられており、また柄部１７は好ましくは厚さの均一な帯板部材によって形成されていて、蓋部材１５の裏面との間に間隔を有する柄部１７の背面側には凹状部分が形成されていないので、スプーン１６の上に乗った粉粒物１１を下方に落下しやすくして、蓋部材１５の裏面に取り付けられたスプーン１６の上に粉粒物１１を堆積させ難くすることが可能になる。
【００２４】
さらに、本実施形態では、スプーン１６の柄部１７の長さＳ2と、掬い部１８の高さｈとの比を調整することにより、蓋部材１５の裏面に対する柄部１７の傾斜角度や、係合孔２０に係合ピン１９を係止した際の柄部１７のしなりの大きさを適宜調整することができ、これによって、スプーン１６の着脱が容易で、且つスプーン１６を蓋部材１５の裏面に安定した状態で保持するのに適した係合孔２０と係合ピン１９との係合状態を得ることが可能になる。
【００２５】
なお、本発明は上記各実施形態に限定されることなく種々の変更が可能である。例えば、容器本体に収容される粉粒物は、食器洗い用の洗浄剤の他、その他の種々の粉状或いは粒状の洗剤や、砂糖、塩、小麦粉等の調味料を粉粒物として収容するができる。また容器本体は底の深い容器である必要は必ずしもなく、蓋部材は、容器本体に回動可能にヒンジ連結されるものである必要は必ずしもない。さらに、掬い部の底部外側面を蓋部材の裏面に押し付けるように付勢する手段は、係合ピン及び係合孔によるものである必要は必ずしもない。
【００２６】
また、例えば図４（ａ），（ｂ）に示すように、容器本体１３の上端周縁部分の内側にフランジ段差部２６を設け、両側のフランジ段差部２６の内側縁部の長辺方向の間隔ｄ1を、容器本体１３の底部１３ａの略矩形形状の内寸における長辺部の長さＴ1よりも大きくし、且つスプーン１６の全体の長さＳ1と略同じか又はＳ1よりも小さくしておくことが好ましい。これによって、スプーン１６の柄部１７の端部をフランジ段差部２６に掛けた状態のまま、収容された粉粒物１１の上に掬い部１８を載置してゆくことが可能になり、粉粒物１１が減少した際に収容された粉粒物１１の上に掬い部１８を載置すると、スプーン１５の柄部１７の端部はフランジ段差部２６又は容器本体１３の内壁に掛かるため、粉粒物１１に柄部１７を触れさせることなく、スプーン１６を取り出しやすい状態で容器本体１３にスプーン１６を収容しておくことが可能になる。
【００２７】
さらに、図５に示すように、容器本体１３の上面開口部１２における対角線方向の内寸の間隔ｄ2が、スプーン１６の全体の長さＳ1よりも小さくなるように、容器本体１３の上端周縁部分の内側に角部フランジ段差部２７を設けておくことが好ましい。これによって、スプーン１６が対角線方向に配設されても、スプーン１６の柄部１７の端部を角部フランジ段差部２７又は容器本体１３の内壁に掛けた状態のまま、粉粒物１１の上に掬い部１８を載置した状態を保持することが可能になり、スプーン１６をいずれの方向に置いても、粉粒物１１に柄部１７を触れさせることなく容器本体１３にスプーン１６を収容しておくことが可能になる。
【図面の簡単な説明】
【００２８】
【図１】（ａ）は、本発明の好ましい一実施形態に係るスプーン付き容器の構成を説明する開蓋状態の斜視図、（ｂ）は、開蓋状態の同スプーン付き容器の、スプーンが取り付けられる略４角形の蓋部材の対角線方向に沿った断面図である。
【図２】（ａ）はスプーンの斜視図、（ｂ）はスプーンの側面図である。
【図３】本発明の好ましい一実施形態に係るスプーン付き容器において、残り少なくなった粉粒物を掬い取る状況を説明する斜視図である。
【図４】（ａ）は本発明のスプーン付き容器の他の実施態様を説明する略断面図、（ｂ）は略示平面図である。
【図５】本発明のスプーン付き容器のさらに他の実施態様を説明する略示平面図である。
【符号の説明】
【００２９】
１０  スプーン付き容器
１１  粉粒物
１２  容器本体の上面開口部
１３  容器本体
１３ａ  容器本体の底部
１４  ヒンジ結合部
１５  蓋部材
１５ａ  蓋部材の角部近傍部分
１６  スプーン
１７  柄部
１７ａ  柄部の掬い部とは反対側の端部
１８  掬い部
１８ａ  掬い部の底部外側面
１９  係合ピン
２０  係合孔
２１  当接段差リブ
２２  係止凹嵌部
２３  係止リブ
２４  位置決めリブ
２５  計量目盛
Ｌ2   略４角形の上面開口部の短辺部の長さ
Ｓ1   スプーンの長さ
【図１】
0004785504.tif 000002
【図２】
0004785504.tif 000003
【図３】
0004785504.tif 000004
【図４】
0004785504.tif 000005
【図５】
0004785504.tif 000006